(57)【要約】【課題】電池電圧に対応してアクセサリであるイルミネーション用ＬＥＤの点灯電流および点滅比を制御し二次電池のエネルギー消費を抑制し、通話時間を延長可能な電池電圧監視によるＬＥＤ制御方式を提供する。【解決手段】電池電圧検出部４は二次電池３の残留電圧を検出する。イルミネーション駆動部６は、イルミネーション用ＬＥＤ７を駆動する。制御部（ＣＰＵ）５は、電池電圧検出部が検出した残留電圧レベルを判定するための複数のしきい値に対応してイルミネーション用ＬＥＤの点滅比および点灯電流値が記述された第１の制御情報テーブルを有し、電池電圧検出部が検出した残留電圧レベルに対応する点滅比と点灯電流値とをイルミネーション駆動部に設定する。【選択図】　　　図２
2004072212.tif 000002
【特許請求の範囲】
【請求項１】
通話時およびデータ通信時に二次電池により点灯または点滅するアクセサリ機能であるイルミネーション用表示器を有する携帯電話機において、前記イルミネーション用表示器を前記二次電池の残留電圧に対応して制御することを特徴とする電池電圧監視によるＬＥＤ制御方式。
【請求項２】
前記イルミネーション用表示器はＬＥＤであることを特徴とする請求項１記載の電池電圧監視によるＬＥＤ制御方式。
【請求項３】
前記イルミネーション用ＬＥＤは、一つまたは複数であることを特徴とする請求項１乃至２記載の電池電圧監視によるＬＥＤ制御方式。
【請求項４】
前記イルミネーション用ＬＥＤは、少なくとも二つＬＥＤを交互に点滅することを特徴とする請求項１乃至３記載の電池電圧監視によるＬＥＤ制御方式。
【請求項５】
前記イルミネーション用ＬＥＤは、少なくとも二つＬＥＤを同時に点滅することを特徴とする請求項１乃至４記載の電池電圧監視によるＬＥＤ制御方式。
【請求項６】
前記イルミネーション用ＬＥＤを制御する制御部を有し、前記制御部は前記二次電池の残留電圧を監視し、前記残留電圧が少なくなるに従って前記イルミネーション用ＬＥＤの輝度を低くするように制御することを特徴とする請求項１乃至５記載の電池電圧監視によるＬＥＤ制御方式。
【請求項７】
前記イルミネーション用ＬＥＤを制御する制御部を有し、前記制御部は前記二次電池の残留電圧を監視し、前記残留電圧が少なくなるに従って前記イルミネーション用ＬＥＤの滅灯期間を長くなるように制御することを特徴とする請求項１乃至５記載の電池電圧監視によるＬＥＤ制御方式。
【請求項８】
前記イルミネーション用ＬＥＤを制御する制御部を有し、前記制御部は前記二次電池の残留電圧を監視し、前記残留電圧が少なくなるに従って前記イルミネーション用ＬＥＤの輝度を低く且つ滅灯期間を長くなるように制御することを特徴とする請求項１乃至５記載の電池電圧監視によるＬＥＤ制御方式。
【請求項９】
前記制御部は、前記イルミネーション用ＬＥＤの点滅周期および輝度を昼夜間で変更することを特徴とする請求項６乃至８記載の電池電圧監視によるＬＥＤ制御方式。
【請求項１０】
前記二次電池の残留電圧を検出する電池電圧検出部と、前記イルミネーション用ＬＥＤを駆動するイルミネーション駆動部と、前記電池電圧検出部が検出した前記二次電池の残留電圧レベルを判定するための複数のしきい値に対応して前記イルミネーション用ＬＥＤの点滅比および点灯電流値が記述された第１の制御情報テーブルを有し、前記電池電圧検出部が検出した前記残留電圧レベルに対応する点滅比を第１の制御情報テーブルを参照して前記イルミネーション駆動部に設定する制御部とを有することを特徴とする請求項１乃至５記載の電池電圧監視によるＬＥＤ制御方式。
【請求項１１】
前記二次電池の残留電圧を検出する電池電圧検出部と、前記イルミネーション用ＬＥＤを駆動するイルミネーション駆動部と、前記電池電圧検出部が検出した前記二次電池の残留電圧レベルを判定するための複数のしきい値に対応して前記イルミネーション用ＬＥＤの点滅比および点灯電流値が記述された第１の制御情報テーブルを有し、前記電池電圧検出部が検出した前記残留電圧レベルに対応する点灯電流値を第１の制御情報テーブルを参照して前記イルミネーション駆動部に設定する制御部とを有することを特徴とする請求項１乃至５記載の電池電圧監視によるＬＥＤ制御方式。
【請求項１２】
前記二次電池の残留電圧を検出する電池電圧検出部と、前記イルミネーション用ＬＥＤを駆動するイルミネーション駆動部と、前記電池電圧検出部が検出した前記二次電池の残留電圧レベルを判定するための複数のしきい値に対応して前記イルミネーション用ＬＥＤの点滅比および点灯電流が記述された第１の制御情報テーブルを有し、前記電池電圧検出部が検出した前記残留電圧レベルに対応する点滅比と点灯電流値とを第１の制御情報テーブルを参照して前記イルミネーション駆動部に設定する制御部とを有することを特徴とする請求項１乃至５記載の電池電圧監視によるＬＥＤ制御方式。
【請求項１３】
前記二次電池の残留電圧を検出する電池電圧検出部と、前記イルミネーション用ＬＥＤを駆動するイルミネーション駆動部と、時計部と、前記電池電圧検出部が検出した前記二次電池の残留電圧レベルを判定するための複数のしきい値に対応して前記イルミネーション用ＬＥＤの点滅比および点灯電流値が記述された第１の制御情報テーブルと、前記第１の制御情報テーブルより前記複数のしきい値の上位一つまたは上位複数のしきい値に対する前記イルミネーション用ＬＥＤの点滅比が大きく且つ点灯電流値が少ない第２の制御情報テーブルとを有し、前記時計部の現在時刻が昼間の所定時間内であるとき前記第１の制御情報テーブルを参照し、前記時計部の現在時刻が夜間の所定時間内であるとき前記第２の制御情報テーブルを参照し、前記電池電圧検出部が検出した前記残留電圧レベル対応する点滅比と点灯電流値とを前記イルミネーション駆動部に設定する制御部とを有することを特徴とする請求項１乃至５、９記載の電池電圧監視によるＬＥＤ制御方式。
【請求項１４】
前記二次電池の残留電圧の検出は、通話中は所定の周期で行うことを特徴とする請求項１乃至１３記載の電池電圧監視によるＬＥＤ制御方式。
【請求項１５】
通話時に二次電池により点灯または点滅するアクセサリ機能であるイルミネーション用ＬＥＤを有する携帯電話機において、通話開始時に前記二次電池の残留電圧を測定する第１のステップと、前記第１のステップにおける残留電圧の測定が一回目の測定であるか否をカウンタにより判定する第２のステップと、前記第２のステップにおける判定結果が２回目以降であるとき、前記二次電池の残留電圧を測定する度に更新して最新の残留電圧を記憶するメモリを参照し、前回測定した残留電圧と今回測定した残留電圧とを比較し残留電圧レベルの差異を判定する第３のステップと、前記第２のステップにおける判定結果が１回目であるとき、複数のしきい値に対応して前記イルミネーション用ＬＥＤの点滅比および点灯電流値が記述された第１の制御情報テーブルを参照し、前記複数のしきい値と比較して前記残留電圧レベルを判定し、対応する点滅比と点灯電流値を初期値としてイルミネーション駆動部に設定し、前記第３のステップにおける判定結果が差異ありのとき、前記第１の制御テーブルを参照し、今回測定した残留電圧を前記複数のしきい値と比較して残留電圧レベルを判定し、対応する点滅比と点灯電流値を初期値としてイルミネーション駆動部に設定する第４のステップと、前記第３のステップにおける判定結果が差異なしのとき前記イルミネーション駆動部の設定を現在のまま継続し、通話状態を監視し当該通話の終了を検出したとき前記カウンタをリセットしイルミネーション用ＬＥＤの制御処理を終了し、通話中のとき所定の周期で前記第１のステップに移行する第５のステップとを有することを特徴とする電池電圧監視によるＬＥＤ制御方法。
【請求項１６】
通話時に二次電池により点灯または点滅するアクセサリ機能であるイルミネーション用ＬＥＤを有する携帯電話機において、通話開始時に前記二次電池の残留電圧を測定する第１のステップと、前記第１のステップにおける残留電圧の測定が一回目の測定であるかをカウンタにより判定する第２のステップと、前記第２のステップにおける判定結果が２回目以降であるとき、二次電池の残留電圧を測定する度に更新して最新の残留電圧を記憶するメモリを参照し、前回測定した残留電圧と今回測定した残留電圧とを比較し残留電圧レベルの差異を判定する第３のステップと、前記第２のステップにおける判定結果が１回目であるとき、および前記第３のステップにおける判定結果が差異ありのとき、時計部から現在時刻を取得し昼間か夜間かを判定する第４のステップと、前記第４のステップにおける判定結果が昼間のとき、複数のしきい値に対応して前記イルミネーション用ＬＥＤの点滅比および点灯電流値が記述された第１の制御情報テーブルを参照し、前記複数のしきい値と第２のステップで１回目の測定と判定した前記残留電圧または前記第３のステップで差異ありと判定した前記残留電圧とを、比較して残留電圧レベルを判定し、対応する点滅比と点灯電流値を初期値としてイルミネーション駆動部に設定し、前記第４のステップにおける判定結果が夜間のとき、前記複数のしきい値の上位一つまたは上位複数のしきい値に対する前記イルミネーション用ＬＥＤの点滅比が前記第１の制御情報テーブルより大きく且つ点灯電流値が少ない第２の制御情報テーブルを参照し、前記複数のしきい値と第２のステップで１回目の測定と判定した前記残留電圧または前記第３のステップで差異ありと判定した前記残留電圧とを、比較して残留電圧レベルを判定し、対応する点滅比と点灯電流値を初期値としてイルミネーション駆動部に設定する第５のステップと、前記第３のステップにおける判定結果が差異なしのとき前記イルミネーション駆動部の設定を現在のまま継続し、通話状態を監視し当該通話の終了を検出したとき前記カウンタをリセットしイルミネーション用ＬＥＤの制御処理を終了し、通話中のとき所定の周期で前記第１のステップに移行する第６のステップとを有することを特徴とする電池電圧監視によるＬＥＤ制御方法。
【発明の詳細な説明】
【０００１】
【発明の属する技術分野】
本発明は、ＬＥＤの点灯制御に関し、特に携帯電話機のアクセサリ機能であるイルミネーション用ＬＥＤの消費電力の低減方式とその方法に関する。
【０００２】
【従来の技術】
従来の携帯電話機は、通話中のアクセサリとして、筐体にイルミネーション用ＬＥＤを設けて点滅させている。
【０００３】
このイルミネーションは一般的に２色並列の高輝度タイプＬＥＤを同時発光させて実現させており、数１００ｍｓｅｃの一定周期間隔で点灯、消灯を１：１の割合で行っているため、通話機能自体には何ら関係がないものの、通話時間に占めるＬＥＤの点灯時間は５０％におよび、消費電流が大きく通話時間低下への悪影響が無視できない。
【０００４】
一方、通話中に電池の電圧が所定値以下に低下し中断することを回避するために、ＬＥＤの点灯制御により通話中の使用者（ユーザ）に通話可能な電池残量が少ないことを知らせる方法がある。
【０００５】
このような携帯電話機として、携帯電話機の主電源である電池容量の減少を携帯電話機内部の電池電圧検出回路を用いて取得し、ＬＥＤの点滅により通話中の使用者に認識させる技術が、例えば特開平１１−１０３２７３合公報に開示されている（第１の従来技術）。
【０００６】
上記第１の従来技術は、満充電時はＬＥＤが消灯しており、電池容量を電池電圧値によりレベル分けし、劣化が進むに連れてＬＥＤを点滅から連続点灯制御させ、通話時における電池劣化を使用者に事前に通知することで、突然の通話断を未然に防ぐと共に、通話場所の電界強度レベルを別のＬＥＤで点滅させることで、通話者にその場所の電波安定度を認識させ、電波の弱い場所である場合は、通話者に感度の良い場所に移動させるものである。
【０００７】
また、携帯電話機やコードレス電話装置のハンドセットにおいて、使用者が端末装置の電源電圧が低下したときの使用方法を事前に設定することにより、無線装置の信号増幅回路等の特性を変化させて消費電力を低減する技術が、例えば特開平０６−０６９８５３号公報に開示されている（第２の従来技術）。
【０００８】
上記第２の従来技術は、通常の電力で動作（全機能が動作）する通常動作モードと、回路の一部の動作停止、あるいは機能低下させることにより消費電力を低減する消費電力モードを有し、これを電池電圧低下時の動作モードとして使用者が予め設定、登録しておき、電池電圧が所定値以下に低下したとき登録されている動作モードに切り替えるもので、消費電力モードが登録されている場合には、待受け時の動作を停止し、送信動作のみ行うことにより消費電力を低減し、通話可能時間を延長するものである。
【０００９】
また、電池電圧の低下が何れの動作モードで発生したとしても、異常動作がなく、然も電池容量を十分に消費することが出来る携帯電話機が、例えば特開平０９−００８８８０号公報に開示されている（第３の従来技術）。
【００１０】
上記第３の従来技術は、複数の動作モード（待機モード、ＬＥＤ消灯通話モード、ＬＥＤ点灯通話モード）個々に対応して電池電圧の閾値を（ＬＥＤ消灯通話モードの閾値は待機モードの閾値より当該モードによる電圧降下分低く、ＬＥＤ点灯通話モードの閾値はＬＥＤ消灯通話モードの閾値より当該モードによるを電圧降下分低く）設定、登録しておき、待受けモードにおいて電池電圧が当該モードの閾値以下に低下したとき待受け動作を停止し、ＬＥＤ点灯通話モードにおいて電池電圧が当該モードの閾値以下に低下したときＬＥＤを強制消灯し、ＬＥＤ消灯通話モードにおいては当該モードの閾値以下に低下するまで通話状態を維持するものである。
【００１１】
【発明が解決しようとする課題】
上述したように第１の従来技術は、満充電時はＬＥＤは消灯状態で、電池容量を電池電圧値によりレベル分けし、電池容量の劣化に対応してＬＥＤを点滅状態から連続点灯状態へと制御するので、すなわち、電池電圧を監視して電池の劣化が進んだときにＬＥＤの点滅を早め最終的には連続点灯するため、省電力化には寄与していない。
【００１２】
また、第２の従来技術は、電池の劣化が進んだとき、使用者が予め設定した省電力モードに切り替わり、無線部や、ベースバンド回路の消費電力を落とす（待受け時の動作停止し送信動作のみ行うことで電池の長寿命化を図るが、使用者が省電力モードを設定してない（忘れた）場合には、通常動作モードで動作するため通話可能時間を延ばすこと（省電力化）はできない。
【００１３】
第３の従来技術は、待機モード、ＬＥＤ消灯通話モード、ＬＥＤ点灯通話モードを備え、ＬＥＤ消灯通話モードはＬＥＤ消灯通話モードにおける動作を保証する最低の電池電圧の閾値として電圧値Ｖ２を設定し、待機モードは電池電圧の閾値としてＬＥＤ消灯通話モードの電圧値Ｖ２よりモードの違いによる電圧降下分高い電圧値Ｖ３を設定し、ＬＥＤ点灯通話モードは電池電圧の閾値としてＬＥＤ消灯通話モードの電圧値Ｖ２よりモードの違いによる電圧降下分低い電圧値Ｖ１を設定し、各モードにおいて現在の電池電圧と閾値とを比較し、電池電圧が閾値以上であれば当該モードを実行し、以下であれば通話または待機動作を停止するものの、使用者に電池電圧の低下を知らせる報知機能およびその報知機能を省電力化により実現することができない。
【００１４】
本発明の目的は、携帯電話機の通話中に通信性能を低下させることなくアクセサリとしてのイルミネーション機能を保ち、携帯電話機の通話中の電池電圧値レベル監視情報から、電池残量が低下してきたときにイルミネーション用ＬＥＤの点灯時間と消灯時間の比を可変させて点滅間隔を大きくし、通話時間に占めるイルミネーション用ＬＥＤの総点灯時間を減少させ消費電流を抑制し、併せてイルミネーション用ＬＥＤの輝度も弱めて、消費される電流値を減少させる２つの制御を行うことで、２次電池からのエネルギー消費を抑制し、通話時間を長くすることができる電池電圧監視によるＬＥＤ制御方式を提供することにある。
【００１５】
【課題を解決するための手段】
本発明の電池電圧監視によるＬＥＤ制御方式は、通話時およびデータ通信時に二次電池により点灯または点滅するアクセサリ機能であるイルミネーション用表示器を有する携帯電話機において、前記イルミネーション用表示器を前記二次電池の残留電圧に対応して制御することを特徴とする。
【００１６】
また、前記イルミネーション用表示器はＬＥＤであることを特徴とする。
【００１７】
また、前記イルミネーション用ＬＥＤは、一つまたは複数であることを特徴とする。
【００１８】
また、前記イルミネーション用ＬＥＤは、少なくとも二つＬＥＤを交互に点滅することを特徴とする。
【００１９】
また、前記イルミネーション用ＬＥＤは、少なくとも二つＬＥＤを同時に点滅することを特徴とする。
【００２０】
また、前記イルミネーション用ＬＥＤを制御する制御部を有し、前記制御部は前記二次電池の残留電圧を監視し、前記残留電圧が少なくなるに従って前記イルミネーション用ＬＥＤの輝度を低くするように制御することを特徴とする。
【００２１】
また、前記イルミネーション用ＬＥＤを制御する制御部を有し、前記制御部は前記二次電池の残留電圧を監視し、前記残留電圧が少なくなるに従って前記イルミネーション用ＬＥＤの滅灯期間を長くなるように制御することを特徴とする。
【００２２】
また、前記イルミネーション用ＬＥＤを制御する制御部を有し、前記制御部は前記二次電池の残留電圧を監視し、前記残留電圧が少なくなるに従って前記イルミネーション用ＬＥＤの輝度を低く且つ滅灯期間を長くなるように制御することを特徴とする。
【００２３】
また、前記制御部は、前記イルミネーション用ＬＥＤの点滅周期および輝度を昼夜間で変更することを特徴とする。
【００２４】
また、前記二次電池の残留電圧を検出する電池電圧検出部と、前記イルミネーション用ＬＥＤを駆動するイルミネーション駆動部と、前記電池電圧検出部が検出した前記二次電池の残留電圧レベルを判定するための複数のしきい値に対応して前記イルミネーション用ＬＥＤの点滅比および点灯電流値が記述された第１の制御情報テーブルを有し、前記電池電圧検出部が検出した前記残留電圧レベルに対応する点滅比を第１の制御情報テーブルを参照して前記イルミネーション駆動部に設定する制御部とを有することを特徴とする。
【００２５】
また、前記二次電池の残留電圧を検出する電池電圧検出部と、前記イルミネーション用ＬＥＤを駆動するイルミネーション駆動部と、前記電池電圧検出部が検出した前記二次電池の残留電圧レベルを判定するための複数のしきい値に対応して前記イルミネーション用ＬＥＤの点滅比および点灯電流値が記述された第１の制御情報テーブルを有し、前記電池電圧検出部が検出した前記残留電圧レベルに対応する点灯電流値を第１の制御情報テーブルを参照して前記イルミネーション駆動部に設定する制御部とを有することを特徴とする。
【００２６】
また、前記二次電池の残留電圧を検出する電池電圧検出部と、前記イルミネーション用ＬＥＤを駆動するイルミネーション駆動部と、前記電池電圧検出部が検出した前記二次電池の残留電圧レベルを判定するための複数のしきい値に対応して前記イルミネーション用ＬＥＤの点滅比および点灯電流が記述された第１の制御情報テーブルを有し、前記電池電圧検出部が検出した前記残留電圧レベルに対応する点滅比と点灯電流値とを第１の制御情報テーブルを参照して前記イルミネーション駆動部に設定する制御部とを有することを特徴とする。
【００２７】
また、前記二次電池の残留電圧を検出する電池電圧検出部と、前記イルミネーション用ＬＥＤを駆動するイルミネーション駆動部と、時計部と、前記電池電圧検出部が検出した前記二次電池の残留電圧レベルを判定するための複数のしきい値に対応して前記イルミネーション用ＬＥＤの点滅比および点灯電流値が記述された第１の制御情報テーブルと、前記第１の制御情報テーブルより前記複数のしきい値の上位一つまたは上位複数のしきい値に対する前記イルミネーション用ＬＥＤの点滅比が大きく且つ点灯電流値が少ない第２の制御情報テーブルとを有し、前記時計部の現在時刻が昼間の所定時間内であるとき前記第１の制御情報テーブルを参照し、前記時計部の現在時刻が夜間の所定時間内であるとき前記第２の制御情報テーブルを参照し、前記電池電圧検出部が検出した前記残留電圧レベル対応する点滅比と点灯電流値とを前記イルミネーション駆動部に設定する制御部とを有することを特徴とする。
【００２８】
また、前記二次電池の残留電圧の検出は、通話中は所定の周期で行うことを特徴とする。
【００２９】
本発明の電池電圧監視よるＬＥＤ制御方法は、通話時に二次電池により点灯または点滅するアクセサリ機能であるイルミネーション用ＬＥＤを有する携帯電話機において、通話開始時に前記二次電池の残留電圧を測定する第１のステップと、前記第１のステップにおける残留電圧の測定が一回目の測定であるか否をカウンタにより判定する第２のステップと、前記第２のステップにおける判定結果が２回目以降であるとき、前記二次電池の残留電圧を測定する度に更新して最新の残留電圧を記憶するメモリを参照し、前回測定した残留電圧と今回測定した残留電圧とを比較し残留電圧レベルの差異を判定する第３のステップと、前記第２のステップにおける判定結果が１回目であるとき、複数のしきい値に対応して前記イルミネーション用ＬＥＤの点滅比および点灯電流値が記述された第１の制御情報テーブルを参照し、前記複数のしきい値と比較して前記残留電圧レベルを判定し、対応する点滅比と点灯電流値を初期値としてイルミネーション駆動部に設定し、前記第３のステップにおける判定結果が差異ありのとき、前記第１の制御テーブルを参照し、今回測定した残留電圧を前記複数のしきい値と比較して残留電圧レベルを判定し、対応する点滅比と点灯電流値を初期値としてイルミネーション駆動部に設定する第４のステップと、前記第３のステップにおける判定結果が差異なしのとき前記イルミネーション駆動部の設定を現在のまま継続し、通話状態を監視し当該通話の終了を検出したとき前記カウンタをリセットしイルミネーション用ＬＥＤの制御処理を終了し、通話中のとき所定の周期で前記第１のステップに移行する第５のステップとを有することを特徴とする。
【００３０】
また、通話時に二次電池により点灯または点滅するアクセサリ機能であるイルミネーション用ＬＥＤを有する携帯電話機において、通話開始時に前記二次電池の残留電圧を測定する第１のステップと、前記第１のステップにおける残留電圧の測定が一回目の測定であるかをカウンタにより判定する第２のステップと、前記第２のステップにおける判定結果が２回目以降であるとき、二次電池の残留電圧を測定する度に更新して最新の残留電圧を記憶するメモリを参照し、前回測定した残留電圧と今回測定した残留電圧とを比較し残留電圧レベルの差異を判定する第３のステップと、前記第２のステップにおける判定結果が１回目であるとき、および前記第３のステップにおける判定結果が差異ありのとき、時計部から現在時刻を取得し昼間か夜間かを判定する第４のステップと、前記第４のステップにおける判定結果が昼間のとき、複数のしきい値に対応して前記イルミネーション用ＬＥＤの点滅比および点灯電流値が記述された第１の制御情報テーブルを参照し、前記複数のしきい値と第２のステップで１回目の測定と判定した前記残留電圧または前記第３のステップで差異ありと判定した前記残留電圧とを、比較して残留電圧レベルを判定し、対応する点滅比と点灯電流値を初期値としてイルミネーション駆動部に設定し、前記第４のステップにおける判定結果が夜間のとき、前記複数のしきい値の上位一つまたは上位複数のしきい値に対する前記イルミネーション用ＬＥＤの点滅比が前記第１の制御情報テーブルより大きく且つ点灯電流値が少ない第２の制御情報テーブルを参照し、前記複数のしきい値と第２のステップで１回目の測定と判定した前記残留電圧または前記第３のステップで差異ありと判定した前記残留電圧とを、比較して残留電圧レベルを判定し、対応する点滅比と点灯電流値を初期値としてイルミネーション駆動部に設定する第５のステップと、前記第３のステップにおける判定結果が差異なしのとき前記イルミネーション駆動部の設定を現在のまま継続し、通話状態を監視し当該通話の終了を検出したとき前記カウンタをリセットしイルミネーション用ＬＥＤの制御処理を終了し、通話中のとき所定の周期で前記第１のステップに移行する第６のステップとを有することを特徴とする。
【００３１】
【発明の実施の形態】
本発明の実施の形態について図面を参照して説明する。
【００３２】
図１は本発明の携帯電話機の裏面の斜視図、図２は第１の実施の形態のイルミネーション用ＬＥＤ制御回路のブロック図、図３は第１の実施の形態におけるイルミネーション用ＬＥＤの制御情報を登録する制御情報テーブルの構成例を示す図、図４は第１の実施の形態におけるイルミネーション用ＬＥＤの制御処理を示すフローチャート、図５は第２の実施の形態のイルミネーション用ＬＥＤ制御回路のブロック図、図６は第２の実施の形態におけるイルミネーション用ＬＥＤの制御情報を登録する制御情報テーブルの構成例を示す図、図７は第２の実施の形態におけるイルミネーション用ＬＥＤの制御処理を示すフローチャートである。
【００３３】
最初に図１、２、３、および４を参照し第１の実施の形態について説明する。なお、ここでは携帯電話機本体の構成および動作については一般の携帯電話機と同様であるための説明は省略し、イルミネーション用ＬＥＤの制御動作に限定して説明する。
【００３４】
本発明の携帯電話機は図１に示すように、携帯電話機１の操作部、表示部等が配設された表面の対向面（裏面）に点灯または点滅して通話中であることを示すアクセサリとしてのイルミネーション２が配設されている。
【００３５】
このアクセサリとしてのイルミネーションは、発光色の異なる２個のＬＥＤから成り、ここでは赤色および青色発光するＬＥＤを使用するものとする。点灯時は２個のＬＥＤが同時に点灯し紫色のイルミネーションとなる。
【００３６】
このイルミネーション用ＬＥＤの制御回路は、図２に示すように二次電池３と、電池電圧検出部４と、イルミネーション駆動部６と、イルミネーション用ＬＥＤ７と、ＣＰＵ５から構成されている。
【００３７】
電池３は携帯電話機の主電源（二次電池）であり、一般的にはニッケル水素蓄電池である。電池電圧検出部４はこの電池電圧を定期的に測定して測定したデータを保持し、ＣＰＵ５はこのデータを取得する。
【００３８】
イルミネーション駆動部６は、予め設定された周期で論理値が変化するタイマー信号をＣＰＵ５からイルミネーション用ＬＥＤ７の動作信号として出力し、ＣＰＵ５からタイマー設定値を変えることでそのタイマーの周期が変わり、イルミネーション用ＬＥＤ７の点灯及び消灯間隔を変更することができる。
【００３９】
また、同様にＣＰＵ５からの設定で可変する出力電流制御により、イルミネーション用ＬＥＤ７への動作電流を制御することができる構成となっている。
【００４０】
イルミネーションＬＥＤの点灯、点滅制御および電流制御は、図３に示す制御情報テーブルにより行う。
【００４１】
図３によれば、電池電圧レベルをしきい値により、第１段階（３．５Ｖ以上）、第２段階（３．５Ｖ〜３．４Ｖ）、第３段階（３．４Ｖ〜３．３Ｖ）、第４段階（３．３Ｖ〜３．２Ｖ）の４段階に区分し、それぞれの段階に対応してイルミネーション用ＬＥＤの点滅比とその制御電流値が設定されている。
【００４２】
イルミネーション用ＬＥＤの点滅比は電池電圧の減少と共に点灯時間が短くなり、同様にＬＥＤに流す電流値も少なくなるように設定されている。
【００４３】
第１段階（しきい値３．５Ｖ）におけるＬＥＤの平均電流は、点滅比と電流値の積により２０ｍＡ、第２段階（しきい値３．４Ｖ）は７．５ｍＡ、第３段階（しきい値３．３Ｖ）は２．５ｍＡ、第４段階（しきい値３．２Ｖ）は０．６２５ｍＡとなる。
【００４４】
従って、電池電圧が３．５Ｖ以上の満充電状態にある第１段階では、イルミネーション用ＬＥＤを１対１の点滅比で点灯させ、且つ点灯電流が２０ｍＡであるため、イルミネーション用ＬＥＤは十分な明るさで点滅することになる。
【００４５】
また電池電圧が減少し３．３Ｖ〜３．２Ｖになった第４段階では、イルミネーションＬＥＤを１対１５の点滅比で点灯させ、且つ点灯電流が０．６２５ｍＡであるため、第１段階に比べイルミネーションＬＥＤの明るさ低下するが、消費電流は減少し、通話可能時間を延長することができる。
【００４６】
例えば、電池容量が５４０ｍＡｈで、平均電流２０ｍのイルミネーション用ＬＥＤを点滅比５０％で点灯し、連続通話可能時間１２５分の携帯電話機を使用する場合、通話時に携帯電話機で消費される電流は、（５４０ｍＡｈ÷１２５分）×６０＝２５９．２ｍＡとなる。
【００４７】
この消費電流２５９．２ｍＡにはイルミネーション用ＬＥＤの電流が含まれており、純粋に通話に必要な電流は、２５９．２ｍＡからイルミネーション用ＬＥＤの電流２０ｍＡを差し引いた２３９．２ｍＡとなる。
【００４８】
ここで、通話時間に占める図３の第１から第４段階の状態が連続通話可能時間に対し等分にあると想定した場合、第１段階から第４段階におけるＬＥＤの平均電流値は７．６５６２５ｍＡとなる。
【００４９】
すなわち、第１段階おける消費電流は［（１÷２）×（２０＋２０）＝２０ｍＡ］、第２段階における消費電流は［（１÷４）×（１５＋１５）＝７．５ｍＡ］、第３段階におけ消費電流は［（１÷８）×（１０＋１０）＝２．５ｍＡ］、第４段階における消費電流［（１÷１６）×（５＋５）＝０．６２５ｍＡ］であり、その平均電流は、［（２０＋７．５＋２．５＋０６２５）＝７．６５６２５ｍＡ］となる。
【００５０】
従って、通話中の消費電流は、通話に必要な電流２３９．２ｍＡとＬＥＤの平均電流７．６５６２５ｍＡの和である２４６．８５６２５ｍＡ（１３１．２５分）となり、図３に示す処理を行うことにより電池寿命要時間を６分（１２５分−１３１．２５分）延長することができる。
【００５１】
次に、図４に図２、図３を併せてを参照して第１の実施の形態のイルミネーション用ＬＥＤの制御処理について説明する。
【００５２】
使用者が所定の方法で発呼操作を行い、ＣＰＵ５がその発呼要求を検出すると（通話開始状態）、電池電圧検出部４に対し電池電圧の測定開始命令を送出し電池３の残留電圧の測定を指示する（図４のステップＳ１０１）。
【００５３】
電池電圧検出部４は電池３の現在の残留電圧を測定し（Ｓ１０２）、測定データをＡ／Ｄコンバータ（図示せず）でディジタル変換した後、ＣＰＵ５に割り込みを発行する。
【００５４】
ＣＰＵ５は電池電圧検出部４からの測定完了割り込みを受け付けると、電池電圧検出部４からＡ／Ｄ変換された測定データをシリアル通信で読み出す。
【００５５】
ＣＰＵ５は電池電圧の測定が通話開始による初めて（１回目）の測定かどうか判断する（Ｓ１０３）。この電池電圧の測定が１回目であるか否かの判定は、通話開始状態および電池電圧検出部４からの最初の割り込みをもって判断する。
【００５６】
例えば、ＣＰＵ５は具備するカウンタに１回目の測定であることを示す例えば論理符号「１」を記入する。以後当該通話中に繰り返される電池３の残留電圧の測定のたびにこのカウンタを検索し、論理符号が「１」であれば２回目以降の測定であることを認識する。このカウンタは通話終了時にリセットされ例えば論理符号「０」が記入される。
【００５７】
ステップＳ１０３における判定結果が１回目の測定である場合には、図３の制御情報テーブルを参照しステップＳ１０２で測定した残留電圧が、例えばしきい値３．５Ｖ以上であれば、第１の段階の点滅比（１対１＝５０％）と電流値（２０＋２０＝４０ｍＡ）を初期値として、シリアル通信によりイルミネーション駆動部６に初期設定する（Ｓ１０５）。
【００５８】
イルミネーション駆動部６は、設定された電流値で各イルミネーション用ＬＥＤ７を点灯し、且つ設定された点滅比で点滅する。
【００５９】
ステップＳ１０３における判定結果が１回目の測定でない場合には、ステップＳ１０２で測定した残留電圧が、前回の測定した残留電圧に対し変化があるか否かを判定する（Ｓ１０４）。
【００６０】
ＣＰＵ５は測定ステップＳ１０２で測定した残留電圧を記憶するためのメモリ（図示せず）を備え、電池の残留電圧を測定する度に更新する。従って、前回測定した時の残留電圧と所定の周期後の今回測定した残留電圧との比較により、電池の残留電圧の変化を判定することができる。
【００６１】
ステップＳ１０４における判定結果が変化ありの場合には、図３の制御情報テーブルを参照し今回測定した残留電圧がどの段階にあるかをしきい値を基に識別し、該当する段階、例えば第２の段階の点滅比および電流値をシリアル通信によりイルミネーション駆動部６に通知し、イルミネーション用ＬＥＤ７の制御を指示する。（Ｓ１０５）。
【００６２】
ＣＰＵ５は、ステップＳ１０４における判定結果が変化なしのときは、現在の電流値および点滅比のままイルミネーション用ＬＥＤ７の点滅制御を継続し、１回目の電池電圧測定時（Ｓ１０３）および２回目以降の電池電圧測定時に残留電圧に変化があったとき（Ｓ１０４）に、図３の制御情報テーブルを参照して設定（１０５）した電流値および点滅比によりイルミネーション駆動部６を介してイルミネーション用ＬＥＤ７の点滅制御を行う。
【００６３】
この状態において通話が継続中は、所定の周期でステップＳ１０２へ移行し、ステップ１０２〜ステップＳ１０６の動作を繰り返し、電池の残留電圧に応じてイルミネーション用ＬＥＤ７の点滅周期および点灯電流値を可変することにより、イルミネーション用ＬＥＤ７の消費電流が減少する。
【００６４】
このように、通話開始時はステップＳ１０１、Ｓ１０２、Ｓ１０３、Ｓ１０５を遷移してイルミネーション用ＬＥＤ７の点灯制御情報が初期設定され、通話中所定の時間経過するとステップＳ１０２へ移行し、ステップＳ１０３、Ｓ１０４を遷移し、再度測定した電池の残留電圧に変化がない場合には前回設定した点滅比および電流値によりイルミネーション用ＬＥＤを継続制御し、再度測定した電池の残留電圧に変化がある（残流電圧が低下している）場合には、ステップＳ１０４においてその残留電圧に対応する点滅比および電流値を再設定し、イルミネーション用ＬＥＤ７を点灯制御するので、すなわち、時間と共に低下する電池の残留電圧に対応して、通話に直接関係しないイルミネーション用ＬＥＤの消費電力を抑制できるので、通話可能時間を延長することができる。
【００６５】
次に第２の実施の形態について説明する。
【００６６】
上記第１の実施の形態は電池電圧の測定により電池電圧の劣化状況を判断し、イルミネーション用ＬＥＤ７の点滅周期と輝度を可変してイルミネーション用ＬＥＤ７の消費電流を抑制するものであるが、第２の実施の形態ではイルミネーション用ＬＥＤ７の点滅周期と輝度制御に時間的な要素を加えるものである。
【００６７】
第２の実施の形態におけるイルミネーション用ＬＥＤの制御回路は、図５に示すように二次電池３と電池電圧検出部４と、イルミネーション駆動部６と、イルミネーション用ＬＥＤ７と、ＣＰＵ５と、時計８から構成されている。第１の実施の形態の構成との相違は、時計８が付加されている。
【００６８】
時計８は例えば時計ＩＣであり、通常、携帯電話機には内蔵されており、時間の管理機能を有する。
【００６９】
次に図７に図５、図６を併せて参照しイルミネーション用ＬＥＤの制御処理について説明する。
【００７０】
使用者が所定の方法で発呼操作を行い、ＣＰＵ５がその発呼要求を検出すると（通話開始状態）、電池電圧検出部４に対し電池電圧の測定開始命令を送出し電池３の残留電圧の測定を指示する（図７のステップＳ２０１）。
【００７１】
電池電圧検出部４は電池３の電圧を測定し（Ｓ２０２）、測定データをＡ／Ｄコンバータ（図示せず）でディジタル変換した後、ＣＰＵ５に割り込みを発行する。
【００７２】
ＣＰＵ５は電池電圧検出部４からの測定完了割り込みを受け付けると、電池電圧検出部４からＡ／Ｄ変換された測定データをシリアル通信で読み出す。
【００７３】
ＣＰＵ５は電池電圧の測定が通話開始による初めて（１回目）の測定かどうか判断する（Ｓ２０３）。この電池電圧の測定が１回目であるか否かの判定は、通話開始状態および電池電圧検出部４からの最初の割り込みをもって判断する。
【００７４】
例えば、ＣＰＵ５は具備するカウンタに１回目の測定であることを示す例えば論理符号「１」を記入する。以後当該通話中に繰り返される電池３の残留電圧の測定のたびにこのカウンタを検索し、論理符号が「１」であれば２回目以降の測定であることを認識する。このカウンタは通話終了時にリセットされ、例えば論理値「０」が記入される。
【００７５】
ステップＳ２０３における判定結果が１回目の測定である場合には、時計８から現在の時刻を取得し、昼間か夜間かを判定する（Ｓ２０５）。この昼夜の判定は予め定めた時間帯による。
【００７６】
ステップＳ２０５における判定結果が昼間であるときは、図３の制御情報テーブルを参照し、ステップ２０３において測定した電池３の残留電圧が、例えばしきい値３．５Ｖ以上であれば、第１の段階の点滅比（１対１＝５０％）と電流値（２０＋２０＝４０ｍＡ）を初期値として、シリアル通信によりイルミネーション駆動部６に初期設定する（Ｓ２０６）。
【００７７】
ステップＳ２０５における判定結果が夜間であるときは、図６の制御情報テーブルを参照し、ステップ２０３において測定した電池３の残留電圧が、例えばしきい値３．５Ｖ以上であれば、第１の段階の点滅比（１対７＝１２．５％）と電流値（２０＋２０＝４０ｍＡ）を初期値として、シリアル通信によりイルミネーション駆動部６に初期設定する（Ｓ２０７）。
【００７８】
イルミネーション駆動部６は、設定された電流値（２０ｍＡ）で各イルミネーション用ＬＥＤ７を点灯し、且つ設定された点滅比（１対７）で点滅する。
【００７９】
ステップＳ２０３における判定結果が１回目の測定でない場合には、ステップＳ２０２で測定した残留電圧が、前回の測定した残留電圧に対し変化があるか否かを判定する（Ｓ２０４）。
【００８０】
ＣＰＵ５は測定電圧を記憶するためのメモリ（図示せず）を備え、電池の残留電圧を測定する度に更新する。従って、前回測定した時の電池の残留電圧と所定の周期後の今回測定した電池の残留電圧との比較することにより、電池の残留電圧の変化を判定することができる。
【００８１】
ステップＳ２０４における判定結果が変化ありの場合には、時計８から現在の時刻を取得し、昼間か夜間かを判定する（Ｓ２０５）。
【００８２】
ステップＳ２０５における判定結果が昼間であるときは、図３の制御情報テーブルを参照し、ステップ２０３において今回測定した電池３の電池電圧に対応する段階、例えばしきい値３．４Ｖ以上、３．５Ｖ以下のときは第２の段階の点滅比（１対３＝２５％）と電流値（１５＋１５＝３０ｍＡ）を初期値として、シリアル通信によりイルミネーション駆動部６に通知し、イルミネーション用ＬＥＤ７の制御を指示する。（Ｓ２０６）。
【００８３】
ステップＳ２０５における判定結果が夜間であるときは、図６の制御情報テーブルを参照し、ステップ２０３において今回測定した電池３の残留電圧に対応する段階、例えばしきい値３．４Ｖ以上、３．５Ｖ以下のときは第２の段階の点滅比（１対７＝１２．５％）と電流値（１０＋１０＝２０ｍＡ）を初期値として、シリアル通信によりイルミネーション駆動部６に通知し、イルミネーション用ＬＥＤ７の制御を指示する。（Ｓ２０７）。
【００８４】
ＣＰＵ５は、ステップＳ２０４における判定結果が変化なしのときは、現在の電流値および点滅比のままイルミネーション用ＬＥＤ７の点灯制御を継続する。
【００８５】
この状態において通話が継続中（Ｓ２０９）は、所定の周期でステップＳ２０２へ移行し、ステップ２０２〜ステップＳ２０８の動作を繰り返し、電池の残留電圧に応じてイルミネーション用ＬＥＤ７の点滅および点灯電流が変化し、イルミネーション用ＬＥＤ７の消費電流が減少する。
【００８６】
このように、夜間であれば、輝度と点滅周期を抑えても十分なイルミネーション効果が期待できるので、図６の制御情報テーブルを夜間専用の制御情報テーブルとして利用することにより、電池の劣化がない状況でもイルミネーション用ＬＥＤ７の消費電流を抑制することができる。
【００８７】
図６に示す制御情報テーブルの電池電圧が劣化なしの状況（第１および第２段階）におけるイルミネーション用ＬＥＤ７の消費電流は、図３に示す制御情報テーブルの電池電圧が劣化なしの状況（第１および第２段階）におけるイルミネーション用ＬＥＤ７の消費電流に対し、約８０％抑制することができる。
【００８８】
このように第２の実施の形態におけるイルミネーション用ＬＥＤの消費電流は、昼間は第１の実施の形態と同様な抑制量であるが、夜間の通話においては第１の実施の形態よりもイルミネーション用ＬＥＤ７で消費される電流は、全通話時間中で平均２．０３１ｍＡで、通話時間に直すと１３４分となり、第１の実施の形態よりもさらに約３分の通話時間延長の効果が期待できる。
【００８９】
従って、昼間の場合はイルミネーション効果を高めるために、第１の実施の形態と同様に図３の制御情報テーブルを使用し、夜間は図６の制御情報テーブルを使用してイルミネーション用ＬＥＤを点灯制御することは極めて有効である。
【００９０】
以上のように、第１の実施の形態および第２の実施の形態では、電池の残留電圧の変化（劣化）に対応して、点滅比制御と電流値制御を組にしてイルミネーション用ＬＥＤの点灯制御を行う場合について説明したが、点滅比制御または電流値制御の単独制御であっても良い。このような単独制御の場合でも、点滅比および電流値が固定の場合よりも、通話と無関係なイルミネーション用ＬＥＤの消費電流を抑制することができる。
【００９１】
【発明の効果】
以上説明したように本発明電池電圧監視によるＬＥＤ制御方式による第１の効果は、通話中に電池電圧の測定データを利用し、電池の劣化状況に応じてイルミネーション用ＬＥＤの点滅周期や輝度を調整することで、通話時間を長くすることができ、携帯電話機の性能指標のひとつである連続通話時間の延長に寄与することである。
【００９２】
すなわち、第１の実施の形態によれば、電池容量が５４０ｍＡｈ、連続通話時間が１２５分である携帯電話機において、電池の残留電圧に対応してＬＥＤの点灯電流制御（４０ｍＡ〜１０ｍＡ）および点滅比制御（１対１〜１対１５）を行うことにより、ＬＥＤの点灯電流（４０ｍＡ）、点滅比（１対１）が固定の従来に比べ、通話時間を約６分延長することができる。
【００９３】
また、第２の実施の形態によれば、昼間は第１の実施の形態と同様な制御を行い、夜間は昼間より、電池電圧の劣化がない状態（第１および第２の段階）におけるＬＥＤの点灯電流を少なく（２０ｍＡ）且つ点滅比を大きく（１対７）設定することにより、昼間に比べ通話時間を更に約３分延長することができる。
【００９４】
第２の効果は、携帯電話機の通信性能を劣化させることなく消費電流の抑制に寄与することである。
【００９５】
すなわち、通信中のアクセサリであるイルミネーション用ＬＥＤの点灯に対してのみ省電力制御を行うため、通信性能そのものに影響しない。
【００９６】
また、アクセサリとしてのポイントであるイルミネーション用ＬＥＤの発光を止めることなく、通話が可能であるときには点灯するので、アクセサリとしての機能を満たしつつ、連続通話時間の延長を実現できる。
【００９７】
第３の効果は、イルミネーション用ＬＥＤの制御を特別な回路を付加することなく、既存の携帯電話機システムで対応可能なため、新たに追加された部品による消費電流の増加も発生しない。
【図面の簡単な説明】
【図１】本発明の携帯電話機の裏面の斜視図である。
【図２】本発明の第１の実施の形態のイルミネーション用ＬＥＤ制御回路のブロック図である。
【図３】本発明の第１の実施の形態におけるイルミネーション用ＬＥＤの制御情報を登録する制御情報テーブルの構成例を示す図である。
【図４】本発明の第１の実施の形態におけるイルミネーション用ＬＥＤの制御処理を示すフローチャートである。
【図５】第２の実施の形態のイルミネーション用ＬＥＤ制御回路のブロック図である。
【図６】第２の実施の形態におけるイルミネーション用ＬＥＤの制御情報を登録する制御情報テーブルの構成例を示す図である。
【図７】第２の実施の形態におけるイルミネーション用ＬＥＤの制御処理を示すフローチャートである。
【符号の説明】
１　　携帯電話機
２　　イルミネーション
３　　電池
４　　電池電圧検出部
５　　ＣＰＵ
６　　イルミネーション駆動部
７　　イルミネーション用ＬＥＤ
８　　時計
【図１】
2004072212.tif 000003
【図２】
2004072212.tif 000004
【図３】
2004072212.tif 000005
【図４】
2004072212.tif 000006
【図５】
2004072212.tif 000007
【図６】
2004072212.tif 000008
【図７】
2004072212.tif 000009